(57)【要約】【課題】  屋上等のコンクリート面上に樹木を植栽する場合、植栽箱に植栽するかもしくは盛土層を厚く形成して支柱木を用いて植栽する方法があるが、高い盛土層は、建築物に対する積載荷重の問題があり、また支柱木は、盛土層の厚さによっては、使用できないことや景観上或いは、管理面上の支障となる課題を持っている。【解決手段】  鋼製又は樹脂製の枠と鉄筋網状体を固定した樹木固定基礎体を設置し、樹木を根鉢部固定具と補助金具及び樹木固定基礎体を用いることにより支柱木を使わず盛土層も厚くすることなく植立固定が可能で強風や振動にも倒木することのない無支柱植栽工法である。【選択図】図６
2007060973.tif 000002
【特許請求の範囲】
【請求項１】
無土壌面のコンクリート打設面等上に造園を施工する時、植栽木に支柱を使用せず盛土層も厚くしないで、植栽木を鋼製又は樹脂製を使用した枠に鉄筋網状体を固定した樹木固定基礎体に根鉢部固定具と補助金具を用いて、樹木固定基礎体と一体に植栽木を植立固定した状態に植栽し、強風や振動等によって倒木しないことを特徴とする無土壌面への無支柱植栽工法。
【発明の詳細な説明】
【技術分野】
【０００１】
本発明は、コンクリート等で打設された床面やアスファルト又はコンクリート舗装された地面等の無土壌面に支柱を使用せず樹木の大きさを問わず植栽できる植栽工法である。
【背景技術】
【０００２】
市街地は、都市化が進むにしたがって高層建築が乱立すると共に、地面の多くがアスファルトやコンクリート舗装され植物の生育する場所が減少し、草花や樹木が少なくなり自然環境が失われ、しかも高層建築物から排出される熱エネルギーは、地球温暖化など自然環境を壊す一因となっている。このため、人間社会に癒しや潤いを与え、生活周辺に自然環境を取り戻すために市街地の緑化が強く要請されている。
【０００３】
そこで、当社が開発した「樹木固定具を用いたコンクリート打設面用の樹木生育装置とその樹木生育工法」や「アンカーピンを用いたコンクリート打設面の緑化工法」を用いての植栽が行われている。
【特許文献１】特許第３５３６１０８号公報
【特許文献２】特許第３４１６７９９号公報
【発明の開示】
【発明が解決しようとする課題】
【０００４】
従来の手法は、保水層を有するボックス型植栽箱に植栽木をアンカーピンで固定植栽する工法で、小規模屋上緑化に適しているが、本格庭園造りには植栽箱を配置して庭園造りとなるため物足りなさがあった。
【０００５】
また、盛土を形成し植栽する従来の工法もあるが植物が小さい場合には、安定感があるものの高木の場合には、発根の範囲が十分でないため地下部分と地上部分とのバランスが崩れてしまい、ビル風や風雨などの強風によって倒木してしまう課題を有していた。
【０００６】
そこで、盛土層を厚く形成したり支柱を用いたりする手段もあるが、その場合盛土層を相当厚くする必要があり、建物の積載荷重の設計基準を大幅に超えることになり、また支柱が多くても自然な樹木の景観が保てなくなるなどいずれの手段にも限界があった。
【課題を解決するための手段】
【０００７】
従来のボックス型の箱を取り除き植栽木の大小を問わずコンクリート面上に樹木を植栽しようとする位置に、樹木の根鉢より一回り大きい不織布を内壁面に付帯している硬質ポリエチレン有孔管のリング内に根鉢を据置し、根鉢とリング内の隙間に水で十分に練った肥沃土（ココピート４０％、水苔２０％、バーク堆肥２０％、山砂１０％、炭１０％の混合用土に有機肥料、遅効性肥料を加えた混合土）を詰め込み仮植し、鋼製又は樹脂製を使用した高さ３ｃｍ〜５ｃｍの枠（Ｊ型アンカー下部係止部が係止できる高さ）の上に太さ６ｍｍ〜１６ｍｍの鉄筋を約１０ｃｍマスで配筋した鉄筋網状体を載せ枠に複数本のＵ型ボルトで固定した樹木固定基礎体を配置し、該樹木固定基礎体の中心部に仮植した植栽木を据置し、根鉢を固定する補助金具を根鉢上部に円形状に設置し、根鉢部固定具のＪ型アンカーピンの下部係止部を樹木固定基礎体の鉄筋に係止するとともにＪ型アンカー頭部の係止爪体にて根鉢部を押圧し補助金具を係止できる位置にボルトで固定する。
【発明の効果】
【０００８】
背の高い樹木を特別厚い盛土を形成することなく、また簡単な組立作業により支柱を使わずアスファルトやコンクリート面上の自由な位置に植栽し、盛土層内に安定した状態で保持できるため、本格的庭園造りが短期間に低コストで施工できる。
【０００９】
また植栽木の根鉢部分は、樹木根鉢補助具に仮植することにより根鉢部と接地面が平行になるため、傾きやぐらつきがなく、その上根鉢部固定具を樹木固定基礎体に固定し、更に樹木の重さ・盛土の重さが加わることにより、強風や振動によって倒木することがなく
、また年月が経てば樹木の根が樹木固定基礎体外に張りめぐらされて、安定度を増した状態になる。なお、樹木固定基礎体は、１ｍ四方を標準とするが樹木の高さ、根鉢径の大きさに応じ、いかなる組立も可能である。
【発明を実施するための最良の形態】
【００１０】
発明の実施しようとする無土壌面のコンクリート面上に対する実施形態を図１〜図６に従って説明すれば、図１に示す斜視図は、樹木を固定する鋼製又は樹脂製基礎枠１ａに鉄筋網状体１ｂを載せ、Ｕ型ボルト２で鋼製又は樹脂製基礎枠１ａと鉄筋網状体１ｂを固定した樹木固定基礎体１で低木から高木までの植栽木が倒れることなくを固定できる基礎枠である。
【００１１】
図２は、該樹木固定基礎体１を分解した斜視図であり、樹木固定基礎体１の基礎である四角形の骨組みとなる高さ３ｃｍ〜５ｃｍ（Ｊ型アンカー下部係止部が係止できる高さ）の鋼製又は樹脂製基礎枠１ａと約１０ｃｍマスで配筋した鉄筋網状体１ｂとＵ型ボルト２である。
【００１２】
図３は、植栽木を安定した状態で移植固定できる樹木根鉢補助具３で、樹木根鉢の周囲より一回り大きい硬質ポリエチレン有孔管３ａの管内壁面に肥沃土が流失しないように不織布３ｂを装着した斜視図である。
【００１３】
図４は、根鉢部固定具４を分解した斜視図で、植栽木の根鉢部を抑えるための鉄パイプ５ａ、それを連結するワイヤー５ｂ、それを結束するワイヤークリップ５ｃからできている補助金具５と該補助金具５を係止固定する係止爪部６ａ、Ｊ型アンカー７に固定される連結固定部６ｂとを有している爪体６とさらに該爪体６を連結固定する頭部ネジ切部７ａとボルト８、樹木固定基礎体に連結固定する係止フック部７ｂ有するＪ型アンカー７にて構成されていることを示す斜視図である。
【００１４】
図５は、根鉢部固定具４を組み立てた状態を示す斜視図で樹木固定基礎体１内に植栽位置を定め、樹木根鉢補助具の周囲巾で複数本のＪ型アンカー７の係止フック部７ｂを鉄筋網状体１ｂに係止し、補助金具５を樹木根鉢上面にリング状に配置し、爪体６の係止爪部６ａを該補助金具５に係止し根鉢部を抑え、Ｊ型アンカー７の頭部ネジ切部７ａに連結固定部６ｂを通しボルト８を締め付け根鉢部を固定する状態を示す斜視図である。
【００１５】
図６は、コンクリート面１０上に防水シート１１、防根シート１２、用土が散らばらないように不織布３ｂ、基盤用土１３の順に敷き均した上に樹木固定基礎体１を配置し、その上に樹木根鉢補助具３の管内に樹木１４を植立に樹木根鉢１４ａを挿入し、管内に隙間がでないように肥沃土９を詰め込み仮植据置し、根鉢上面部に補助金具５を円形状に配置して樹木根鉢補助具３の周囲に鉄筋網状体１ｂに係止したＪ型アンカー７を複数本設置し、爪体６の係止爪部６ａを補助金具５の鉄パイプ５ａに係止して樹木根鉢８ａを抑えるようにＪ型アンカー７の頭部に連結されボルト８にて植立に固定され根鉢の高さまで盛土１５した完成断面図である。
【図面の簡単な説明】
【００１６】
【図１】樹木固定基礎体を示す斜視図である。
【図２】樹木固定基礎体を分解した状態を示す斜視図である。
【図３】樹木根鉢補助具を示す斜視図である。
【図４】根鉢固定具を分解した状態を示す斜視図である。
【図５】樹木固定基礎体に根鉢固定具を設置した状態を示す斜視図である
【図６】樹木固定基礎体に植栽木を植立固定した状態を示す完成断面図である
【符号の説明】
【００１７】
１    樹木固定基礎体
１ａ  鋼製又は樹脂製基礎枠
１ｂ  鉄筋網状体
２    Ｕ型ボルト
３    樹木根鉢補助具
３ａ  硬質ポリエチレン有孔管
３ｂ  不織布
４    根鉢部固定具
５    補助金具
５ａ  鉄パイプ
５ｂ  ワイヤー
５ｃ  ワイヤークリップ
６    爪体
６ａ  係止爪部
６ｂ  連結固定部
７    Ｊ型アンカー
７ａ  頭部ネジ切部
７ｂ  係止フック部
８    ボルト  
９    肥沃土
１０    コンクリート面
１１    防水シート
１２    防根シート
１３    基盤用土
１４    樹木
１４ａ  樹木根鉢
１５    盛土
【図１】
2007060973.tif 000003
【図２】
2007060973.tif 000004
【図３】
2007060973.tif 000005
【図４】
2007060973.tif 000006
【図５】
2007060973.tif 000007
【図６】
2007060973.tif 000008